(57)【特許請求の範囲】
【請求項１】
縦長の額縁状外枠と、その外枠に対して軸支手段を介して片開き可能に取り付けられた内枠と、その内枠の中央開口部に前面を臨ませて同内枠に取り付けてなる遊技盤と、前記内枠に対して軸支手段を介して片開き可能に、かつ前記遊技盤を内枠側に押圧可能に取り付けた裏機構盤と、前記遊技盤の前面側に形成される遊技領域に弾球を打ち込むために前記内枠の下部に設けられた発射手段とを少なくとも具備している弾球遊技機において、
前記遊技領域における弾球遊技を制御する遊技制御基板が被覆されるカバー部材の一端部を前記裏機構盤の裏側に設けた把持部に把持させるとともに、前記一端部に対向する前記カバー部材の他端部を、前記裏機構盤の表側から操作される結合手段により前記裏機構盤に結合させることを特徴とする弾球遊技機。
【請求項２】
前記裏機構盤を前記内枠に対して回動し、前記裏機構盤が最大に拡開したときの回動角が鋭角になるように、前記軸支手段の回動範囲が制限され、
前記カバー部材の他端部が前記軸支手段側に配置され、前記カバー部材の一端部が前記軸支手段と反対側に配置されることで、前記結合手段は、前記軸支手段側に設けられることを特徴とする請求項１に記載の弾球遊技機。
【発明の詳細な説明】
【０００１】
【発明の属する技術分野】
本発明は、弾球遊技機、特に弾球遊技を制御する遊技制御基板の不正防止構造を備えた弾球遊技機に関するものである。
【０００２】
【従来の技術】
従来から、図１３に示すように、パチンコ機で代表される弾球遊技機１は、本体枠としての縦長・額縁状の外枠２と、その外枠２に対して軸支手段３を介して前面側に片開き可能に形成された内枠４と、その内枠４の上端部寄りに形成されて開口部（図示なし）に前面が臨むように取り付けられた遊技盤５とを少なくとも具備している。
【０００３】
そして前記弾球遊技機１の裏面において前記内枠４の下部裏側左コーナー寄りには、図１４に示すように、前記遊技盤（図１４においては太い１点鎖線で示されている）５上の遊技領域Ａに弾球を打ち込む発射手段６が取り付けられている。さらに、前記内枠４には、それとほぼ同様の形状を有する樹脂製の裏機構盤（前記同様の図において太い実線と鎖線で示されている）７が前記遊技盤５を介して固定されており、その表面側（前記遊技盤の裏面と対向する側）には、遊技において入賞した入賞球を集めて検知装置に誘導する集合樋が形成されている。また、前記裏機構盤７の裏面側には前記入賞球に相応して遊技者に払い出される景品球の払出装置８やその払出装置８に供給する景品球の貯留するタンク９等が設けられている。
【０００４】
前記裏機構盤７の裏側下部寄りには遊技を制御する遊技制御基板１０が固定されているとともに、その遊技制御回路、特に遊技制御、表示制御又は遊技時の当たり発生を判定する乱数数等が書き込まれているＲＯＭの改竄を防止するために、遊技制御基板１０が透明な保護部材１１で覆われている。
【０００５】
【発明が解決しようとする課題】
このように公知の弾球遊技機１にあっては、遊技制御基板１０を保護部材１１に封入して封止手段１２が施されて前記遊技制御基板１０を開封できないようすることによりＲＯＭの不正操作をかなり抑制できる効果を上げてはいるが、前記遊技制御基板１０と保護部材１１とを前記裏機構盤７から取り外して、それらの外観と同じ外観を有する改竄済みの別の遊技制御基板を別の保護部材内に封入して、それらをそっくり交換するという不正操作が惹き起される虞がある。
【０００６】
この場合、当然、保護部材には開封した形跡が外観上残らないため、遊技制御基板に不正操作がされたか否かは到底容易には判別できない。本発明の課題は弾球遊技機から遊技制御基板そのものを取り外すことができないようにすることにより又は取り外すことを困難にすることにより、遊技制御基板の改竄を防止できる構造の弾球遊技機を提供することにある。
【０００７】
【課題を解決するための手段】
本請求項１の発明は前記の課題を解決するための、縦長の額縁状外枠と、その外枠に対して軸支手段を介して片開き可能に取り付けられた内枠と、その内枠の中央開口部に前面を臨ませて同内枠に取り付けてなる遊技盤と、前記内枠に対して軸支手段を介して片開き可能に、かつ前記遊技盤を内枠側に押圧可能に取り付けた裏機構盤と、前記遊技盤の前面側に形成される遊技領域に弾球を打ち込むために前記内枠の下部に設けられた発射手段とを少なくとも具備している弾球遊技機において、前記遊技領域における弾球遊技を制御する遊技制御基板が被覆されるカバー部材の一端部を前記裏機構盤の裏側に設けた把持部に把持させるとともに、前記一端部に対向する前記カバー部材の他端部を、前記裏機構盤の表側から操作される結合手段により前記裏機構盤に結合させるという手段を採用する。
【０００８】
本請求項２に記載される発明は、前記裏機構盤を前記内枠に対して回動し、前記裏機構盤が最大に拡開したときの回動角が鋭角になるように、前記軸支手段の回動範囲が制限され、前記カバー部材の他端部が前記軸支手段側に配置され、前記カバー部材の一端部が前記軸支手段と反対側に配置されることで、前記結合手段は、前記軸支手段側に設けられるという手段を採用する。
【０００９】
他の発明においては、前記他端部を前記裏機構盤に対してはめ殺しにより結合するという手段を採用し、更に他の発明は、前記遊技制御基板のコネクタを前記一端部側に設ける。
【００１０】
【発明の実施の形態】
次に、図面を参照しながら本発明に係る一実施形態（第一の実施態様）について詳述すると、この実施例は従来から一般に使用されている弾球遊技機においても当然実現できるが、好ましくは、図１、図２及び図３に示す弾球遊技機に適用される。すなわち、この実施態様に係る弾球遊技機５０は、その遊技機の本体枠である額縁状木製外枠５１と、前記外枠５１の下部前面に打ち付けられた前面板５２と、同前面板５２と外枠５１とのなす左隅部において前記前面板５２に取り付けられた軸支手段５３ａ及びその上下方向において外枠５１上に同様に取り付けられた軸支手段５３ｂからなる一対の軸支手段を中心に前面側に片開き可能に取り付けられたほぼ額縁状の内枠５４等からなる骨格構造を有している。
【００１１】
そして前記内枠５４の前面側において上部寄りには、逆Ｕ字形の開口部５５を中央部に有する前面枠５６ａが上下一対の軸支手段５７ｂ（図１において下部軸支手段は見えない）を介して片開き可能に蝶着されており、軸支手段５７ｂが存在しない側において前記内枠５４に装着されている施錠装置５８にキー（図示なし）を差し込んで回動させることにより、前記前面枠５６ａを開閉できるようになっている。
【００１２】
他方、前記内枠５４の背面側において同内枠５４の中央部には開口部（図示なし）が形成されており、その開口部に前面が臨むように遊技盤５９が取り付けられている。そしてその遊技盤５９と前記前面枠５６ａの背面側に取り付けられたガラス枠（図示なし）のガラスＧとの間において、かつ前記遊技盤５９上に円弧状に植設されたガイドレール６０の内方側において、弾球遊技機５０の遊技領域Ａが形成されている。
【００１３】
前記前面枠５６ａの直下位置において内枠５４には、前面枠５６ａと同様に片開き可能な板状の上皿部材５６ｂが取り付けられており、その上皿部材５６ｂに後述する排出樋の排出口６１が形成されているとともに、上皿６２が取り付けられている。また、上皿６２の堤状周縁部には景品球６３を抜き取る球抜きボタン６４、返却ボタン６５、貸球ボタン６６等の操作ボタンが設けられている。なお、上皿部材５６ｂは、その上辺部が前面枠５６ａの閉成時にその下辺部に押圧されているので、前面枠５６ａを開成しない限り開成できないようになっている。
【００１４】
さらに前記上皿部材５６ｂと前面板５２との間において内枠５４の下部には、下皿６７ａと灰皿６７ｂとを備えた下皿組立体５６ｃが取り付けられており、その中央部に前記上皿６２に貯留しきれなかった景品球６３を後述する溢流樋を流下させてその排出口６８から下皿６７ａに受け入れ可能になっている。なお下皿組立体５６ｃには球抜きレバー６９と（後述する）発射手段の発射ハンドル７０ｂとが設けられている。
【００１５】
次に、前記遊技盤５９の中央部にはほぼ四角形の液晶表示部Ｂを有する特別図柄表示装置７１が設けられていて、その上方において周辺に設けられた一対の周縁装飾部７２ａ、７２ｂ間には普通図柄表示装置７３が設けられているとともに、前記特別図柄表示装置７１の下方中央部に僅かな距離をおいて逆ハ字形をなす一対の開閉翼７４を備えている始動入賞装置７５が設けられている。そしてさらに該始動装置７５に続いて下方には入賞装置７６が、そしてその左右両側に所定距離をおいて左右の入賞口７７ａ、７７ｂがそれぞれ設けられている。なお、それらの入賞口７７ａ、７７ｂの斜め上方外側には第一図柄作動ゲート７８ａ、７８ｂが設けられている。
【００１６】
その他、特別図柄表示装置７１の下方コーナー側外方に風車７９ａ、７９ｂが設けられており、それらの上方において前記周縁装飾部７２ａ、７２ｂの中位には第二図柄作動ゲート７８ｃ、７８ｄが設けられている。さらに前記周縁装飾部７２ａ、７２ｂの背部には通過樋（図示なし）が設けられており、それらの入球口８０ａ、８０ｂから前記通過樋を通って降下した弾球が前記周縁装飾部７２ａ、７２ｂの下部に形成されている排出口８１ａ、８１ｂより特別図柄表示装置７１の下部中央に設けられているベッド状集球部８４に集められるようになっている。前記遊技領域Ａ外において前面枠５６ａの頂部には遊技効果ランプ８２が設けられており、弾球遊技機５０の左側にはそれと同じ高さを有する幅狭のカードユニット８３が併設されている。
【００１７】
上記前面構造を有する弾球遊技機５０において、発射装置により発射された遊技球は、まず前記遊技領域Ａを落下して特別図柄表示装置７１の外側を回って風車７９ａ、７９ｂに当たるか、第二図柄作動ゲート７８ｃ、７８ｄに入るか、又は特別図柄表示装置７１上の入球口８０ａ、８０ｂに入って前記通過樋中を落下して排出口８１ａ、８１ｂから排出され、次いで前記ベッド状集球部８４に寄せられて始動装置７５の上方付近に至るかのいずれか経路を辿って降下してゆく。そして、遊技球は最終的に前記始動装置７５、特別条件下で作動する入賞装置７６、入賞口７７ａ、７７ｂに入って入賞してゆくか、又は入賞しないで又は一旦図柄作動ゲート７８ａ、７８ｂ、７８ｃ、７８ｄを通過後遊技盤５９の中央最下部に設けられているアウト球排出口８５から機外に排出されていゆく。
【００１８】
次に、本発明に係る弾球遊技機５０の背面について図４及び図５に基づいて説明すると、前記内枠５４に対してその背面側からほぼ正方形をなす板状の遊技盤（図４においては１点鎖線で示されている）５９が係止され、さらにその遊技盤５９に対してその背面側から下部コーナー部が面取りされたほぼ縦長直方形状をなし、中央部にほぼ横長直方形の開口部８６を有する裏機構盤８７（図４においては実線と鎖線で示されている）が宛がわれ、その裏機構盤８７のほぼ３つのコーナー部付近において設けられた止着部材８８の押圧止着作用により前記内枠５４と裏機構盤８７とは遊技盤５９を介して強固に一体化されている。なお、前記開口部８６は、遊技盤５９に取り付けた特別図柄表示装置７１及びそれを制御するために該特別図柄表示装置の後方に重ねて取り付けられた図柄表示制御基板等が後方に突出するのを許容するものである（図４において前記図柄表示制御基板を覆うカバー部材８９が描かれている）。
【００１９】
前記裏機構盤８７は、前面側、すなわち遊技盤５９に接する側には主として遊技領域Ａにおける遊技の際、弾球としての入賞球を集めて入賞球感知機構に案内する集合樋（図示なし）が設けられており、弾球遊技機５０から裏機構盤８７だけ分離して示す図５から分るように、背面側においてその上部左側コーナー部には機外から供給される景品球を貯留する貯留タンク９０、その貯留タンク９０から景品球を順次配列しながら降下させるタンクレール９１、そのタンクレール９１を通過した景品球６３に変位抵抗を与えて降下させるカーブ樋９２、そのカーブ樋９２から遊技の内容に応じて景品球６３を計数しながら払出す払出装置９３ａ等の上部払出経路が前記開口部８６の右側板状部９４上に順次連結形成されている。
【００２０】
しかしながら、本発明に係る前記払出装置９３ａから景品球６３が払い出される下部払出経路は２つに分岐し、一つの分岐樋９５ａは遊技時の景品球６３を払い出すのに使用され、他の分岐樋９５ｂは、非遊技時の球抜きに使用されるようになっている。従ってタンクレール９１とカーブ樋９２との間には球抜きに使用される独立した球抜き樋が必ずしも必要ではない。なお、前記カーブ樋９２の途中に球切れ検知装置９３ｂが装着されており、前記二つの分岐樋９５ａ、９６ｂのいずれか一方にそれらの分岐樋９５ａ、９６ｂを通過する景品球６３を計数するための計数手段（図示なし）が装着されている。
【００２１】
前記裏機構盤８７において前記開口部８６の下方には、前記分岐樋９５ａ、９５ｂが再度１本の排出樋（図示なし）となって合流形成されており、払出装置９３ａから払い出された景品球６３は、前記排出樋を通って前記上皿部材５６ｂに開口している排出口６１から上皿６２に供給されるようになっている（図１、図２参照）。景品球６３を排出している過程で上皿６２に景品球６３が満杯になると、やがて前記排出樋の中にも景品球６３が充満するが、排出樋の途中において溢流樋９６が設けられているので、前記景品球６３は前記溢流樋９６から下皿６７ａに流下するようになっている。
【００２２】
前記開口部８６の下方において裏機構盤８７の厚み方向真ん中には、図５に示すように垂直方向に延展する下部中板９７が設けられており、その中板９７の裏面側に前記溢流樋９６を介して下部外板９８が固定されている。そして前記下部中板９７の表側に設けられた前記集合樋の下流部９９が下部中板９７に開口しており、集合樋を落下してきた入賞球が前記下流部９９から図示されていない検知装置に検知された後、機外に排出されるようになっているとともに、前記溢流樋９６を通って落下した景品球６３は下皿６７ａに排出される。また、前記裏機構盤８７の下方において前記内枠５４の左側コーナー部に遊技球を遊技領域Ａに発射するための発射装置７０ａが取り付けられている（図４参照）。
【００２３】
更に前記の下部外板９８の外方側（裏面側）には、図４に示すように、本発明に係る弾球遊技機５０の遊技を制御する遊技制御基板１００が取り付けられているとともに、その遊技制御基板１００が封止手段１０１ａにより封止可能なカバー１０１により保護されている。従って、遊技制御基板１００を改竄するには、カバー１０１に施されている封止手段１０１ａを解く必要があるので一応前記遊技制御基板１００が保護されていると考えられている。
【００２４】
ところが、前記したように前記遊技制御基板１００が封入されたカバー１０１を取り外して、別途改竄された遊技制御基板を同様に別に用意されたカバーの中に封入して、両者をそっくり取り替えることができるので、前記遊技制御基板１００は完全に保護されているとは言えない。遊技制御基板１００を裏機構盤８７そのものに取り外すことができないように固定するとか、被覆するとかの手段を講じないと遊技制御基板の１００の保護にはならない。
【００２５】
そこで本発明では、まず遊技制御基板１００を透明樹脂板状体から製作されたカバー部材で被覆して、前記遊技制御基板１００を裏機構盤８７から取り外すことができないような手段乃至は取り外すことが非常に困難にする手段を講ずることにした。具体的に述べると、図６に示すように、弾球遊技機５０における裏機構盤８７又はその下部外板９８に取り付けられている遊技制御基板１００又はそれを封入したカバー１０１を透明又は半透明樹脂板から製作された横長直方形又は台形状のカバー部材１０３により被覆する手段を講ずる。そして、前記カバー部材１０３の一端部１０３ａを前記裏機構盤８７又は下部外板９８の裏側に設けた把持部としての差込み部１０４に差し込んで係止させるとともに、前記一端部１０３ａに対向する他端部１０３ｂを裏機構盤９８又は下部外板９８に結合させる。そして、前記カバー部材１０３の外側から遊技制御基板１００を脱着不能する手段とともに、遊技制御基板１００は別途裏機構盤８７に固着する手段を併せて採用する。
【００２６】
この場合、前記カバー部材１０３の他端部１０３ｂを裏機構盤８７に結合させる結合手段として、前記裏面側からカバー部材１０３及び裏機構盤８７に同時に穿設した透孔に笠状の頭部１０５ａを有するねじ１０５を挿通して、その先端部１０５ｂを、図７及び図８に示すように、裏機構盤８７の表面側に突出させてナット１０６で締め付ける手段を採用する。
【００２７】
しかしながら、前記結合手段としては裏機構盤８７の裏面側（弾球遊技機５０の背面側）から両者の結合を解くことができないか、又は解くことができても容易に解くことができない手段であれば、いかなる手段でも採用でき、例えば、図９に示すように、裏機構盤８７の下部中板９７の裏側に一体成形されている箱形のスペーサー兼用リブ１０９を介して取り付けられる下部外板９８に対して、遊技制御基板１００入りカバー１０１を介在させてカバー部材１０３を重ねるとともに、そのカバー部材１０３に一体形成されている螺合突起１１０を、下部外板９８を貫通させて、突出させ、次いで前記下部中板９７の表面側に突出するねじ１０５の頭部１０５に六角形の治具当接部１０７を当接して前記螺合突起部１１０に設けられた螺合孔１１１にねじ込む手段や、図１０に示すように、前記ねじ１０５の六角形の治具当接部１０７を十字形のそれに変えて、ドライバーにより前記ねじ１０５を締め付けようとする場合、そのドライバーは前記治具当接部１０７の係止部１０７ａに引っかかるが、逆にそのねじ１０５を緩めようとする場合、前記治具が引っかかることなく滑り部１０７ｂで滑るような結合手段を採用できる。
【００２８】
更に、図８に示すように、弾球遊技機５０の内枠５４に対して裏機構盤８７が上下一対の軸支手段１０２ａ、１０２ｂを介して回動可能に取り付けられているが、本発明においては、前記内枠５４と裏機構盤８７が最大に回動して拡開したとき１点鎖線ｘ、ｙで示される両者の相対的回動角Θが鋭角になるように、前記軸支手段１０２ａ、１０２ｂの回動範囲を制限している。
【００２９】
これは、前記軸支手段１０２ａ、１０２ｂ寄りの裏機構盤８７の部位に取り付けられているねじ１０５を緩めるための作業空間を狭くして、前記結合手段としてのねじ１０５を緩めることができないか、仮に緩めることができたとしてもその作業に困難を伴うようにし、ひいては、遊技制御基板１００を改竄された遊技制御基板の交換ができないようにするためである。このような技術思想を最も典型的に具体化する方法として、本発明においては前述したように、前記内枠５４と裏機構盤８７とを特定の止着手段８８により遊技盤５９と裏機構盤８７とのなす回動角Θをゼロにすることもできる。
【００３０】
次に、第二の実施態様を図１１に基づいて説明すると、この実施態様では、カバー部材１０３の長手方向における端部を直角に曲げ形成してその先端部に前記下部外板９８に対する係止部１１３をつくるとともに、その係止部１１３を前記下部外板９８に設けた係止孔１１４に圧入するという結合手段が採用される。
【００３１】
前記係止部１１３を係止孔１１４に圧入すると、その過程で係止部１１３の最も外方に張り出している部分が狭められながら係止孔１１４を通過し、やがてそこを通り抜けると、再び元の形状に回復する。従って、カバー部材１０３は裏機構盤８７に係止されて抜けなくなるので、前記係止部１１３が下部外板９８に引っかかって両者の分離が不可能になる。すなわち、この実施態様においては一種のはめ殺し工法が実現されるのである。その結果この実施態様においても遊技制御基板１００の改竄ができなくなるという効果が発揮される。
【００３２】
ここではめ殺しとは、下部外板９８に対してカバー部材１０３を一旦結合させた後、そのカバー部材１０３を取り払おうとしても、前記カバー部材１０３を取り払うことができない、又は前記カバー部材１０３を取り払うのが非常に困難になるような一部材に対する他の部材の組付け工法を意味する。また、非常に困難とは前記組付け工法に行なった組付け操作を時間的に逆に辿って両部材の結合を解こうする場合、そこに組み付けに要したエネルギー以上の大きなエネルギーを要することを意味する。
【００３３】
本発明はその根本的な技術的思想を踏襲し発明の効果を著しく損なわない限度において前記実施態様の一部分を、例えば次にように、変更して実施することは当然許容される。
（１）前記カバー部材１０３の形状・大きさ及び取付け位置等については必要に応じて任意に設計変更できる。
（２）図１２に示すようにカバー部材１０３が長手方向に撓むのを防止するために、カバー部材１０３の上下縁部を差し込む把持部１０４を前記裏機構盤８７に対して設けることができる。この態様においては、遊技制御基板１００又はそれが封入されたカバー１０１をスライドさせて前記把持部１０４に差込み係止させることになるので、遊技制御基板１００に接続される配線のコネクタ１１５をカバー部材１０３の一端部１０３ａ側に設ける。
【００３４】
（３）前記カバー部材１０３の他端部１０３ｂは、裏機構盤８７からの分離ができない又は困難な手段を採用さえすれば、裏機構盤８７の表面から接合する必要がないので、背面側からの結合手段により接合してもよい。
（４）さらに前記接合手段として、前記はめ殺し工法の他に、かしめ工法やロック工法を採用してもよい。ただし、ロック工法のうち施錠装置を利用する態様はキーの管理の煩雑さから好ましくない。
【００３５】
（５）遊技制御基板１００をカバー１０１に封入した状態で本発明を採用するか否かは、裏機構盤８７、下部中板９７、下部外板９８並びにカバー部材１０３、更には遊技制御基板１００その他弾球遊技機の制御に必要な制御基板等の形状、構造及び設置空間の取り合い等の設計要因を考慮して任意に選択できる。
【００３６】
（６）前記カバー部材１０３の他端部１０３ｂを裏機構盤８７又はその下部中板９７又は下部外板９８から分離できない条件を満たす限度において、前記把持部１０４はいかなる手段から構成されてもよい。
（７）前記裏機構盤８７の下部中板９７や下部外板９８に対して前記把持部１０４として蝶番を取付けて、その蝶番に前記カバー部材１０３の一端部１０３ａを把持させることもできる。この態様においては前記蝶番は外部から取り外すことができないようにその構成要素を前記下部外板９８と遊技制御基板１００に固定する必要がある。
【００３７】
【発明の効果】
以上詳述したように本発明は、弾球遊技機から遊技制御基板そのものを取り外すことができない、又は取り外すことを非常に困難にし、ひいては遊技制御基板の改竄を防止するという優れた効果を発揮する。
【図面の簡単な説明】
【図１】本発明に係る弾球遊技機の一部破断正面図である。
【図２】同じく一部破断上面図である。
【図３】同じく一部破断側面図である。
【図４】本発明に係る弾球遊技機の背面図である。
【図５】前記遊技機における裏機構盤の一部破断背面図である。
【図６】本発明に係る第一実施態様を示す弾球遊技機の部分破断背面図である。
【図７】裏機構盤に対してカバー部材の他端部を接合する状態を示す裏機構盤の部分破断背面図である。
【図８】同じく、裏機構盤を内枠から開成して示す斜視図である。
【図９】本発明にかかる結合手段について他の態様の要部を示す部分破断斜視図である。
【図１０】同様結合手段について他の態様を示す正面図である。
【図１１】第二実施態様の要部を示す示す部分破断斜視図である。
【図１２】カバー部材の取付け方法について他の態様を示す弾球遊技機の部分破断背面図である。
【図１３】従来技術に係る遊技機の正面図である。
【図１４】同じく背面図である。
【符号の説明】
５０      弾球遊技機
５１      外枠
５３ａ    軸支手段
５４      内枠
５９      遊技盤
８７      裏機構盤
７０ａ    発射手段
１００    遊技制御基板
１０２ａ  軸支手段
１０２ｂ  軸支手段
１０３    カバー部材
１０４    把持部
１１５    コネクター
Ａ        遊技領域
Θ        回動角
【図１】
0004482740.tif 000002
【図２】
0004482740.tif 000003
【図３】
0004482740.tif 000004
【図４】
0004482740.tif 000005
【図５】
0004482740.tif 000006
【図６】
0004482740.tif 000007
【図７】
0004482740.tif 000008
【図８】
0004482740.tif 000009
【図９】
0004482740.tif 000010
【図１０】
0004482740.tif 000011
【図１１】
0004482740.tif 000012
【図１２】
0004482740.tif 000013
【図１３】
0004482740.tif 000014
【図１４】
0004482740.tif 000015